(57)【要約】【課題】放電電圧を上昇させることなく放電経路を長くすることにより、輝度及び発光効率を向上させる平板ランプを提供する。【解決手段】一定の距離を置いて互いに対向するように配置し、その間に少なくとも１つの放電セルを形成する下部基板１１０及び上部基板１２０と、下部基板１１０及び上部基板１２０のうち、少なくとも１つの基板に放電セルごとに対として形成される第１電極部及び第２電極部と、を備え、第１電極部は、１つの電極から形成され、第２電極部は、複数の電極から形成される平板ランプである。【選択図】図３
2006114500.tif 000002
【特許請求の範囲】
【請求項１】
一定の距離を置いて互いに対向するように配置し、その間に少なくとも１つの放電セルを形成する下部基板及び上部基板と、
前記下部基板及び前記上部基板のうち、少なくとも１つの基板に前記放電セルごとに、対として形成される第１電極部及び第２電極部と、を備え、
前記第１電極部は、１つの電極から形成され、前記第２電極部は、複数の電極から形成されることを特徴とする平板ランプ。
【請求項２】
前記第１電極部の電極と前記第２電極部の電極との間に直流電圧を印加することを特徴とする請求項１に記載の平板ランプ。
【請求項３】
前記第１電極部の電極は負極であり、前記第２電極部の電極は正極であることを特徴とする請求項１または請求項２に記載の平板ランプ。
【請求項４】
前記第２電極部の電極には、互いに同じ電圧を印加することを特徴とする請求項１ないし請求項３に記載の平板ランプ。
【請求項５】
前記第２電極部の電極は、前記第１電極部の電極からより近くに位置するほど、より低い電圧が印加されることを特徴とする請求項３に記載の平板ランプ。
【請求項６】
前記第２電極部の電極を互いに誘電体で連結し、外部電圧を、前記第１電極部の電極から最も遠くに位置する前記第２電極部の電極に印加することを特徴とする請求項５に記載の平板ランプ。
【請求項７】
前記放電セルは、少なくとも１つのスペーサにより区画されていることを特徴とする請求項１に記載の平板ランプ。
【請求項８】
一定の距離を置いて互いに対向するように配置し、その間に少なくとも１つの放電セルを形成する下部基板及び上部基板と、
前記下部基板に前記放電セルごとに、対として形成される第１電極部及び第２電極部と、を備え、
前記第１電極部は、１つの第１電極から形成され、前記第２電極部は、複数の第２電極から形成されることを特徴とする平板ランプ。
【請求項９】
前記第１電極は負極であり、前記第２電極は正極であることを特徴とする請求項８に記載の平板ランプ。
【請求項１０】
前記第２電極部は、２つの第２電極から形成されることを特徴とする請求項９に記載の平板ランプ。
【請求項１１】
前記第２電極には、互いに同じ電圧を印加することを特徴とする請求項９に記載の平板ランプ。
【請求項１２】
前記第２電極は、前記第１電極からより近くに位置するほど、より低い電圧が印加されることを特徴とする請求項９に記載の平板ランプ。
【請求項１３】
前記第２電極を互いに誘電体で連結し、外部電圧を、前記第１電極から最も遠くに位置する第２電極に印加することを特徴とする請求項１２に記載の平板ランプ。
【請求項１４】
前記放電セルは、少なくとも１つのスペーサにより区画されることを特徴とする請求項８に記載の平板ランプ。
【請求項１５】
前記スペーサは、前記放電セルを密閉するように設けられていることを特徴とする請求項１４に記載の平板ランプ。
【請求項１６】
前記スペーサは、前記放電セルの一部を開放するように設けられていることを特徴とする請求項１４に記載の平板ランプ。
【請求項１７】
前記上部基板は、前記放電セルごとに、対として形成される第３電極部及び第４電極部を更に備えることを特徴とする請求項８に記載の平板ランプ。
【請求項１８】
前記第３電極部は、少なくとも１つの第３電極から形成され、前記第４電極部は、少なくとも１つの第４電極から形成されることを特徴とする請求項１７に記載の平板ランプ。
【請求項１９】
前記第３電極部は前記第１電極部に、前記第４電極部は第２電極部に、それぞれ対応するように形成されることを特徴とする請求項１８に記載の平板ランプ。
【請求項２０】
前記第３電極は負極であり、前記第４電極は正極であることを特徴とする請求項１８に記載の平板ランプ。
【請求項２１】
前記第４電極部は、２つ以上の第４電極から形成されることを特徴とする請求項２０に記載の平板ランプ。
【請求項２２】
前記第４電極の個数は、前記第２電極の個数と同じであることを特徴とする請求項２０に記載の平板ランプ。
【請求項２３】
前記第４電極の個数は、前記第２電極の個数より少ないことを特徴とする請求項２０に記載の平板ランプ。
【請求項２４】
前記第４電極には、互いに同じ電圧を印加することを特徴とする請求項２０に記載の平板ランプ。
【請求項２５】
前記第４電極には、前記第３電極からより近くに位置するほど、より低い電圧を印加することを特徴とする請求項２０に記載の平板ランプ。
【請求項２６】
前記第４電極を誘電体で連結し、外部電圧を、前記第３電極から最も遠くに位置する第４電極に印加することを特徴とする請求項２５に記載の平板ランプ。
【発明の詳細な説明】
【技術分野】
【０００１】
本発明は平板ランプに関し、具体的には、放電電圧を上昇させることなく輝度及び発光の効率性を向上させる平板ランプに関する。
【背景技術】
【０００２】
主に液晶表示素子（Ｌｉｑｕｉｄ  Ｃｒｙｓｔａｌ  Ｄｉｓｐｌａｙ：ＬＣＤ）のバックライトとしての平板ランプは、従来の冷陰極蛍光ランプを利用したエッジライトやダイレクトライト方式から、発光効率や輝度の均一性などを考慮して開発された、発光面の下部全体を放電空間とする面放電型や対向放電型平板ランプに至るまで、各種の開発がなされてきた。一般的に、面放電型の平板ランプは、対向放電型に比べて、放電特性が安定するものの、全体的な輝度は、対向放電型平板ランプに比べると劣るという欠点がある。
【０００３】
図１は、従来の面放電型の平板ランプにおける下部基板を示した図面である。図１に示す平板ランプは、下部基板１０上に、下部基板１０と上部基板（図示せず）との間に形成された空間を区画することで複数の放電セルを形成し、下部基板１０と上部基板との距離を一定に保つための複数のスペーサ１５を設けている。そして、下部基板１０上には、第１電極１１及び第２電極１２を対として、放電セルごとに１対の電極を配置するように、複数の第１電極１１及び第２電極１２が配置されている。このような構造において、第１電極１１及び第２電極１２にそれぞれ所定の電圧を印加すると、各放電セルの内部でガス放電が発生する。
【０００４】
一般的に、ガス放電を利用する場合には、放電経路が長くなるほど発光効率が向上するが、反面、放電電圧の上昇を招くため、コストや寿命などに悪影響を及ぼす。つまり、このような構造を備えた従来型の平板ランプでは、発光効率を向上させるために、第１電極１１と第２電極１２との距離を大きくとって放電経路を長くしているが、今度は、放電電圧が上昇するという問題が生じる。
【０００５】
このような問題点を解決するために、図２に示すような平板ランプが考案されている。図２に示す平板ランプは、下部基板２０上に複数の第１電極２１及び第２電極２２を配置している。具体的には、第１電極２１及び第２電極２２を対とし、下部基板２０上に形成された放電セル（図示せず）ごとに１対の電極を配置している。また、第１電極２１と第２電極２２との間には、補助電極として第３電極２３及び第４電極２４を設けている。ここで、抵抗層２７により第１電極２１と第３電極２３とを、抵抗層２８により第２電極２２と第４電極２４とを連結している。そして、第３電極２３及び第４電極２４に電圧を印加することで放電開始を助長するものである。しかし、このような平板ランプは、抵抗層２７及び抵抗層２８を形成するための工程を追加する必要があるだけでなく、抵抗層２７及び抵抗層２８によって熱損失が生じるために、第３電極２３及び第３電極２４からなる補助電極の部分とそれ以外の部分の間に輝度差が発生するという問題も生じる。
【発明の開示】
【発明が解決しようとする課題】
【０００６】
本発明は、上記の問題点を解決するためになされたものであって、放電電圧を上昇させることなく放電経路を長くすることにより、輝度及び発光効率を向上させる平板ランプを提供することを目的とする。
【課題を解決するための手段】
【０００７】
上記の目的を達成するために、本発明に係る平板ランプは、一定の距離を置いて互いに対向するように配置し、その間に少なくとも１つの放電セルを形成する下部基板及び上部基板と、下部基板及び上部基板のうち、少なくとも１つの基板に放電セルごとに対として形成される第１電極部及び第２電極部と、を備え、第１電極部は、１つの電極から形成され、第２電極部は、複数の電極から形成される。
【０００８】
第１電極部の電極と第２電極部の電極との間には直流電圧を印加することが好ましい。第１電極部の電極は負極であり、第２電極部の電極は正極であることが好ましい。
【０００９】
また、第２電極部の電極には互いに同じ電圧を印加する。
【００１０】
一方、第２電極部の電極には、第１電極部の電極からより近くに位置するほど、より低い電圧を印加することもできる。この場合、第２電極部の電極を誘電体で連結し、外部電圧を、第１電極部の電極から最も遠くに位置する第２電極部の電極に印加することが好ましい。
【００１１】
放電セルは、スペーサにより区画されることが好ましい。
【発明の効果】
【００１２】
本発明に係る平板ランプには、次のような効果がある。
【００１３】
第一に、下部基板及び上部基板のうち、少なくとも１つの基板に、放電セルごとに１つの電極から形成される第１電極部、及び複数の電極から形成される第２電極部を形成することにより、第１電極部と第２電極部との間の放電電圧を低減し、発光効率を向上させる。
第二に、第１電極部の電極を負極とし、第２電極部の電極を正極とすることにより、輝度及び発光効率を向上させる。
第三に、第２電極部を構成する電極を誘電体で連結することにより、輝度の均一性を向上させる。
【発明を実施するための最良の形態】
【００１４】
以下、図面を参照しつつ、本発明に係る好ましい実施形態について詳細に説明する。なお、異なる図において同一の符号は、同一の構成要素を示している。
【００１５】
図３は、本発明の第１実施形態に係る平板ランプの分離斜視図である。
本発明の第１実施形態に係る平板ランプは、基本的には、下部基板１１０及び上部基板１２０から構成される。
図４は、図３に示す下部基板の下面に形成された電極の配置を示す図であり、図５は、図３に示す平板ランプをＡ−Ａの方向に切断したときの一部断面を示す図である。
【００１６】
ここで、下部基板１１０の下面とは、上部基板１２０に対向する面とは反対側の面を指し、下部基板１１０の上面とは、上部基板１２０に対向する面を指す。また、上部基板１２０の下面とは、下部基板１１０と対向する面を指し、上部基板１２０の上面とは、下部基板１１０に対向する面とは反対側の面を指す。
【００１７】
図３ないし図５に示すように、下部基板１１０及び上部基板１２０は、一定の距離を置いて互いの面が対向するように配置されている。なお、下部基板１１０及び上部基板１２０には、一般的なガラス基板を使用する。下部基板１１０と上部基板１２０との間には、プラズマ放電を発生させる少なくとも１つの放電セル１１５を形成し、この放電セル１１５の内部を放電ガスで満す。
【００１８】
なお、放電セル１１５は、後記するように、負極及び正極からなる電極対の間に形成される放電空間として定義されるものである。さらに、下部基板１１０と上部基板１２０との間に空間を形成するような壁をなし、これにより下部基板１１０と上部基板１２０との間の空間を密閉するようなフレーム１１６を下部基板１１０の周縁に設ける。
【００１９】
さらに、下部基板１１０と上部基板１２０との間には、下部基板１１０と上部基板１２０との距離を一定に保つことで下部基板１１０と上部基板１２０との間に空間を形成し、さらに、この空間を区画して放電セル１１５を形成するための、少なくとも１つのスペーサ１１４を設ける。このとき、スペーサ１１４は、各放電セル１１５の一部を開放させた状態で形成するように、フレーム１１６の内面と対向する側の両端をフレーム１１６から離して設ける。
【００２０】
また、スペーサ１１４は、各放電セル１１５を密閉させた状態で形成するように、スペーサ１１４の上記の両端をフレーム１１６に密着させて設けることもできる。
【００２１】
さらに、下部基板１１０の内面及び上部基板１２０の内面、スペーサ１１４の表面、及びフレーム１１６の内面に、放電で発生した紫外線により励起された可視光を発生させる蛍光体層１３０を形成する。
【００２２】
図５に示すように、下部基板１１０の下面に、放電セル１１５の内部で放電を発生させるための複数の放電電極を形成する。具体的には、下部基板１１０の下面には、放電セル１１５ごとに少なくとも１つの第１電極部と、少なくとも１つの第２電極部を形成する。第１電極部は１つの第１電極１１２から形成されており、第２電極部は複数の第２電極１１１ａ、第２電極１１１ｂから形成されている。なお、第２電極部は２つの電極１１１ａ、第２電極１１１ｂから形成されることが好ましいが、３つ以上の電極から形成されてもよい。ここで、図５に示すように、スペーサ１１４は、互いに隣接する第１電極部の第１電極１１２と第１電極１１２との中間、及び互いに隣接する第２電極部の第２電極１１１ａと第２電極１１１ａとの中間に対応する位置にそれぞれ配置される。さらに、図４に示すように、各電極に印加電圧を供給するために第１ライン１１８及び第２ライン１１７を設け、第１電極１１２を第１ライン１１８に連結し、第２電極１１１ａ及び第２電極１１１ｂを第２ライン１１７に連結する。こうすることで、放電セル１１５ごとに形成された第２電極１１１ａ、第２電極１１１ｂに同じ電圧を印加することができる。
【００２３】
第１実施形態によれば、第１電極部の第１電極１１２と第２電極部の第２電極１１１ａ、第２電極１１１ｂとの間に直流電圧を印加する。このとき、発光効率を向上させるために、第１電極１１２を負極とし、複数の第２電極１１１ａ、第２電極１１１ｂを正極とすることが好ましい。放電空間で入力エネルギーを最も消耗するのは、強力な電場を作ってイオン化を活発化させる負極領域である。グロー放電においては、負極領域で電気エネルギーの大部分が消耗される一方、陽光柱（ｐｏｓｉｔｉｖｅ  ｃｏｌｕｍｎ）ではほとんどエネルギーが消耗されることなく光エネルギーが形成される。したがって、負極領域を減らし、陽光柱の面積を広げるために、負極の第１電極１１２を１つ設け、正極の第２電極１１１ａ、１１１ｂを複数設けることで、放電電圧を低減させ、輝度及び発光効率を向上させることが可能となる。
【００２４】
上記のような構造の平板ランプにおいて、負極の第１電極１１２と正極の第２電極１１１ａ、第２電極１１１ｂとの間に所定電圧を印加した場合、放電セル１１５の内部では、まず、第１電極１１２と第１電極１１２の近くに位置する第２電極１１１ｂとの間で開始放電が発生する。このとき、第１電極１１２と第２電極１１１ｂとの距離を従来の平板ランプよりも狭めることで、放電電圧を下げることが可能となる。続いて、発生した放電は、第１電極１１２から遠くに位置する第２電極１１１ａにまで拡張され、最終的には、第１電極１１２と第２電極１１１ａ、第２電極１１１ｂとの間で主放電が発生する。このとき、第１電極１１２と第２電極１１１ａ、第２電極１１１ｂとの平均距離を従来の平板ランプよりも大きくして平均放電経路を長くすると、発光効率を向上させることができる。
【００２５】
図６は、図４に示す放電電極の変形例を示す図である。図６に示す放電電極は、１つの第１電極１１２’から形成された第１電極部と、複数の第２電極１１１ａ’、第２電極１１１ｂ’から形成された第２電極部とを対として、放電セル１１５’ごとに１対の電極部を形成する。このとき、上記と同じく、負極領域を減らし、陽光柱の面積を広げることを目的に、第１電極１１２’を負極に、第２電極１１１’ａ、第２電極１１１’ｂを正極にすることが好ましい。第２電極部を構成する第２電極１１１’ａ、第２電極１１１’ｂを互いに誘電体１５０’で連結する。さらに、第１電極１１２’は、印加電圧を供給するための第１ライン１１８’に連結されている。ここで、外部電圧を、第１電極１１２’から遠くに位置する第２電極１１１’ａに印加できるように、第２電極１１１’ａを、印加電圧を供給するための第２ライン１１７’に連結する。なお、図６に示す第２電極部は２つの電極で構成されているが、３つ以上の電極で構成されていてもよい。第２電極部が３つ以上の電極で構成される場合の外部電圧は、第１電極１１２’から最も遠くに位置する第２電極部の電極に印加される。
【００２６】
ここで、第１電極１１２’から遠くに位置する第２電極１１１’ａに、例えば、３０００Ｖの外部電圧を印加すると、第１電極１１２’の近くに位置する第２電極１１１’ｂへ印加される電圧は、誘電体１５０’による電圧降下のために、３０００Ｖよりも低い、例えば、２５００Ｖの電圧になる。第１電極１１２’の近くに位置する第２電極１１１’ｂへ印加した電圧が、第１電極１１２’から遠くに位置する第２電極１１１’ａよりも低い場合は、第２電極１１１’ａと第２電極１１１’ｂとに同じ電圧を印加した場合よりも、第１電極１１２’と第１電極１１２’の近くに位置する第２電極１１１’ｂとの間で開始された放電が、第１電極１１２’から遠くに位置する第２電極１１１’ａにまで円滑に拡張されて輝度を均一に向上させることができる。
【００２７】
また、第２電極部へ外部電圧を印加する場合は、上記の方法に加え、第２電極部のそれぞれの電極に独立的に電圧を印加してもよい。
【００２８】
図７は、図５に示す放電電極の変形例を示したものである。図７に示すように、本実施形態に係る放電電極は、下部基板の上面に形成することもできる。図７に示す放電電極は、下部基板１１０’’の上面に、１つの第１電極１１２’’から形成される第１電極部、及び複数の第２電極１１１’’ａ、第２電極１１１’’ｂから形成される第２電極部を対として、放電セル１１５’’ごとに１対の電極部を形成する。
【００２９】
以下、図８及び図９を参照しながら、本発明に係る第２実施形態について詳細に説明する。
【００３０】
図８は、第２実施形態による平板ランプの分離斜視図である。
本発明の第２実施形態に係る平板ランプは、基本的には、下部基板２１０及び上部基板２２０から構成される。
【００３１】
図９は、図８に示す平板ランプをＢ−Ｂの方向に切断したときの一部断面を示す図である。
ここで、下部基板２１０の下面とは、上部基板２２０に対向する面とは反対側の面を指し、下部基板２１０の上面とは、上部基板２２０に対向する面を指す。また、上部基板２２０の下面とは、下部基板２１０と対向する面を指し、上部基板２２０の上面とは、下部基板２１０に対向する面とは反対側の面を指す。
【００３２】
下部基板２１０と上部基板２２０を、一定の距離を置いて互いに対向するように配置し、下部基板２１０と上部基板２２０との間に空間を形成するような壁をなし、これにより下部基板２１０と上部基板２２０との間の空間を密閉するようなフレーム２１６を下部基板１１０に設け、この空間を密閉する。また、下部基板２１０と上部基板２２０の間の空間には、少なくとも１つの放電セル２１５を形成する。
【００３３】
さらに、下部基板２１０と上部基板２２０との間の空間を区画し、放電セル２１５を形成するような、少なくとも１つのスペーサ２１４を設ける。スペーサ２１４は、各放電セル２１５の一部を開放させた状態で形成するように、フレーム２１６の内面と対向する側の両端をフレーム２１６から離して設ける。
また、スペーサ２１４は、各放電セル２１５を密閉させた状態で形成するように、フレーム２１６の上記の両端をフレーム２１６に密着させて設けることもできる。なお、下部基板２１０と上部基板２２０の内面、スペーサ２１４の表面及びフレーム２１６の内面に、放電で発生した紫外線により励起された可視光を発生させる蛍光体層２３０を形成してもよい。
【００３４】
図９に示すように、下部基板２１０の下面に、各放電セル２１５の内部で放電を発生させるための複数の放電電極を形成する。具体的には、下部基板２１０の下面には、放電セル２１５ごとに、少なくとも１つの第１電極部と少なくとも１つの第２電極部をそれぞれ形成する。第１電極部は１つの第１電極２１２から形成されており、第２電極部は複数の第２電極２１１ａ、第２電極２１１ｂから形成されている。また、第１電極２１２は負極であり、第２電極２１１ａ、第２電極２１１ｂは正極であることが好ましい。さらに、第２電極部は２つの電極２１１ａ、第２電極２１１ｂから形成されることが好ましいが、３つ以上の電極から形成されてもよい。なお、第１電極２１２及び第２電極２１１ａ、第２電極２１１ｂは、下部基板２１０の上面に形成することもできる。
【００３５】
図５に示した場合と同様に、印加電圧を供給する第１ライン及び第２ラインのうち、第１電極２１２を第１ライン（図示せず）に、第２電極２１１ａ、第２電極２１１ｂを第２ライン（図示せず）に共通に連結させる。この場合、第２電極２１１ａと第２電極２１１ｂには互いに同じ電圧を印加する。
【００３６】
また、第２電極２１１ａと第２電極２１１ｂとを、図６に示した場合と同様に、誘電体（図示せず）で連結してもよい。この場合、外部電圧を、第１電極２１２から遠くに位置する第２電極２１１ａに印加し、第１電極２１２から近くに位置する第２電極２１１ｂは、誘電体による電圧降下によって外部電圧より低い電圧が印加される。
【００３７】
本実施形態では、下部基板２１０の下面に加え、上部基板２２０の上面にも、各放電セル２１５の内部で放電を発生させるための複数の放電電極を形成してもよい。具体的には、上部基板２２０の上面に、少なくとも１つの第３電極部及び少なくとも１つの第４電極部を形成する。このとき、第３電極部及び第４電極部を対として、放電セル２１５ごとに１対の電極部を形成する。第３電極部は１つの第３電極２２２から形成されており、第４電極部は２つ以上の第４電極２１１ａ、第４電極２１１ｂから形成されている。
【００３８】
ここで、上部基板２２０の第３電極部は下部基板２１０の第１電極部に、上部基板２２０の第４電極部は下部基板２１０の第２電極部に対応するように配置される。この場合、上部基板２２０の第４電極部は、下部基板２１０の第２電極部の電極と同じ個数の電極から形成される。さらに、第３電極２２２は負極であり、第４電極２２１ａ、第４電極２２１ｂは正極であることが好ましい。また、第３電極２２２及び第４電極２２１ａ、第４電極２２１ｂは、上部基板２２０の上面の代わりに下面に形成することもできる。
【００３９】
ここで、図８に示すように、印加電圧を供給するための第３ライン２２８及び第４ライン２２７を設ける。第３電極２２２を第３ライン２２８に、第４電極２２１ａ、第４電極２２１ｂを第４ライン２２７に連結する。この場合、第４電極２２１ａと第４電極２２１ｂには互いに同じ電圧を印加する。
【００４０】
なお、第４電極２２１ａと第４電極２２１ｂとを、図６と同様に、誘電体（図示せず）で連結してもよい。この場合、外部電圧を、第３電極２２２から遠くに位置する第４電極２２１ａに印加し、第３電極２２２から近くに位置する第４電極２２１ｂは、誘電体による電圧降下のために、外部電圧より低い電圧が印加される。
【００４１】
また、第２電極部へ外部電圧を印加する場合は、上記の方法に加え、第２電極部のそれぞれの電極に独立的に電圧を印加してもよい。
【００４２】
上記のように、放電電極を、下部基板２１０と上部基板２２０の両面に形成することにより、放電セル２１５の内部で放電をより円滑に発生させることが可能となり、これによって、輝度の均一性がさらに向上する。
【００４３】
次に、図１０を参照しながら、図９に示す放電電極の変形例について説明する。図１０は、図９と同様に、図８に示す平板ランプをＢ−Ｂの方向に切断したときの一部断面図である。
【００４４】
図１０に示す平板ランプでは、上部基板２２０’の上面に、第３電極及び第４電極部を対とする電極部を形成する。この場合、上部基板２２０’に形成した第４電極部は正極であって、下部基板２１０’に形成した正極の第２電極部の電極２１１ａ’、２１１ｂ’より少ない個数の電極２２１’から形成される。なお、図１０では、第２電極部は２つの電極２１１ａ’、２１１ｂ’から形成され、第４電極部は１つの電極２２１’から形成される例を示しているが、本実施形態では、これに限定されない。例えば、第２電極部は３つ以上の電極から形成され、第４電極部は、第２電極部の電極より少ない２つ以上の電極から形成されることも可能である。このように、上部基板２２０’に形成する正極の第４電極部を、下部基板２１０’に形成する正極の第２電極部の電極より少ない個数の電極で構成することにより、放電によって上部基板２２０’側に出射される可視光が、上部基板２２０’の放電電極によって遮断される度合いを低減することができる。
【００４５】
以上の通り、本発明に係る好ましい実施形態を説明したが、これは、本発明を説明するための例示に過ぎず、当業者ならば、以上から多様な変形及び均等な他の実施形態が想到可能であることは理解に難くない。したがって、本発明の真の技術的保護範囲は、特許請求の範囲により決定されるべきである。
【産業上の利用可能性】
【００４６】
本発明は、平板ランプに関連した技術分野に好適に適用され得る。
【図面の簡単な説明】
【００４７】
【図１】従来の面放電型の平板ランプにおける下部基板を示す図である。
【図２】従来の面放電型の平板ランプの他の例を示す図である。
【図３】本発明の第１実施形態に係る平板ランプの分離斜視図である。
【図４】本発明の第１実施形態に係る平板ランプの下部基板の下面に形成した電極を示す図である。
【図５】図３に示す平板ランプの一部断面図である。
【図６】図４に示す放電電極の変形例を示す図である。
【図７】図５に示す放電電極の変形例を示す図である。
【図８】本発明の第２実施形態に係る平板ランプの分離斜視図である。
【図９】図８に示す平板ランプの一部断面図である。
【図１０】図９に示す放電電極の変形例を示す図である。
【符号の説明】
【００４８】
１１０  下部基板
１１４  スペーサ
１１６  フレーム
１２０  上部基板
１３０  蛍光体層
【図１】
2006114500.tif 000003
【図２】
2006114500.tif 000004
【図３】
2006114500.tif 000005
【図４】
2006114500.tif 000006
【図５】
2006114500.tif 000007
【図６】
2006114500.tif 000008
【図７】
2006114500.tif 000009
【図８】
2006114500.tif 000010
【図９】
2006114500.tif 000011
【図１０】
2006114500.tif 000012